(57)【要約】      （修正有）【課題】板材の表裏両面からフックを突出させ、対象物への多様な方向に対する取付強度、対象物からの取り外しやすさを兼備する面ファスナーを提供する。【解決手段】面ファスナーは、固有の縦横方向を有する樹脂製のフック群３と、フック群が突出する状態で配置される複数のフック群領域２１を表裏面にそれぞれ有する板材２であってフック群と共に一体成形された樹脂製の板材を備える。フック群は、同じ直線方向を向いた複数のフック３１を固有の縦横方向のうち一方の直線方向に並べて形成される一列のフック列３１Ｌが基本となる複数列の前記フック列であって、フック列が固有の縦横方向のうち他方の直線方向に並列されて形成される複数列のフック列を備える。板材の表裏面にフック群を配置する配置形状は、直線状と矩形状の何れか一方に設定するものである。設定された配置形状に隣り合うフック群は、互いのフックの向きが直交するものである。【選択図】図１
0003212754.tif 000002
【実用新案登録請求の範囲】
【請求項１】
複数のフック（３１）を有すると共に固有の縦横方向を有する樹脂製のフック群（３）と、前記フック群（３）が突出する状態で配置される複数のフック群領域（２１）を表裏面にそれぞれ有する板材（２）であって前記フック群（３）と共に一体成形された樹脂製の前記板材（２）を備え、
前記フック群（３）は、同じ直線方向を向いた複数の前記フック（３１）を固有の縦横方向のうち一方の直線方向に並べて形成される一列のフック列（３１Ｌ）が基本となる複数列の前記フック列（３１Ｌ）であって、前記フック列（３１Ｌ）が前記固有の縦横方向のうち他方の直線方向に並列されて形成される複数列の前記フック列（３１Ｌ）を備え、
前記板材（２）の表裏面に前記フック群（３）を配置する配置形状は、直線状と矩形状の何れか一方に設定するものであり、
設定された配置形状に隣り合う前記フック群（３）は、互いの前記フック（３１）の向きが直交するものであり、
前記板材（２）は表裏面に、前記フック群領域（２１）の他に、前記フック群領域（２１）の周りに隣接すると共に表裏面に対向する側に空間部（Ｓ）が形成される空間部用領域（２２）を備え、
前記空間部用領域（２２）は、前記フック群（３）ごとに特定される一対の固有の特定領域（２４ａ，２４ａ、２４ｃ，２４ｃ）であって、前記フック群（３）の前記固有の縦横方向における前記他方の直線方向に関して、対応する前記フック群領域（２１）の両側に形成される一対の前記固有の特定領域（２４ａ，２４ａ、２４ｃ，２４ｃ）を備え、
一対の前記固有の特定領域（２４ａ，２４ａ、２４ｃ，２４ｃ）のうち少なくとも一つは、板材（２）の表裏面の縁部に備えることを特徴とする面ファスナー。
【請求項２】
全ての前記フック群（３）は直交する共通の第１、第２の直線方向（Ｘ、Ｙ）を有し、
前記フック群（３）の固有の縦方向は共通の前記第１、第２の直線方向（Ｘ、Ｙ）の一方で、前記フック群（３）の固有の横方向は共通の前記第１、第２の直線方向（Ｘ、Ｙ）の他方であることを特徴とする請求項１記載の面ファスナー。
【請求項３】
前記板材（２）は前記第１、第２の直線方向（Ｘ、Ｙ）に延長する４辺を備える正方形であり、その表裏面ごとに前記第１、第２の直線方向（Ｘ、Ｙ）に概念として４分割された分割領域（２３）を備え、
前記分割領域（２３）には前記フック群領域（２１）、一対の前記固有の特定領域（２４ａ，２４ａ、２４ｃ，２４ｃ）を備えることを特徴とする請求項２記載の面ファスナー。
【請求項４】
前記フック列（３１Ｌ）は前記フック（３１）の向きを前記固有の縦横方向の前記一方の直線方向における二方向の何れかに一致させてあることを特徴とする請求項１、２または３に記載の面ファスナー。
【請求項５】
一対の前記固有の特定領域（２４ａ，２４ａ、２４ｃ，２４ｃ）は、エジェクタピンによる凹状の跡（２６）をそれぞれ備えることを特徴とする請求項１、２、３または４に記載の面ファスナー。
【請求項６】
前記フック群（３）に対応する前記跡（２６）は、当該フック群（３）の固有の縦横方向における前記他方の直線方向に関して、前記板材（２）の中点（ｃ１〜ｃ４）に対して同じ方向側に偏心していることを特徴とする請求項５記載の面ファスナー。
【考案の詳細な説明】
【技術分野】
【０００１】
本考案は、板材の表裏両面からフックを突出させた面ファスナーに関する。
【背景技術】
【０００２】
面ファスナーの中には、一体成形された樹脂製であると共に、板材の表裏両面に全て同じ方向を向いた複数のフックを備えるものが存在する（特許文献１）。
【０００３】
また面ファスナーの中には、一体成形された樹脂製であると共に、板材の表裏両面のうち片面だけに、異なる方向を向いた複数のフックを備えるものが存在する（特許文献２）。より詳しく言えば以下の通りである。
フックは板材の片面の複数の領域に分けて配置されている。そして板材の周方向に隣り合う領域において一方の領域におけるフックの向きと、他方の領域におけるフックの向きとは直交するようになっている。また特許文献２の図１では、フックが分けて配置される領域と板材とは、いずれも板材の厚み方向から視て長方形となっており、当該領域の直交する二辺と板材の外周の隅角が一致するものとなっている。
【先行技術文献】
【特許文献】
【０００４】
【特許文献１】特開平８−９８７５８号公報
【特許文献２】実開平４−３１５１３号公報
【考案の概要】
【考案が解決しようとする課題】
【０００５】
しかしながら特許文献１の面ファスナーはフックの向きが全て同じ方向であるので、対象物に取り付けたときにその取付強度がフックの向きに応じた特定方向に特化することになり、特定方向以外の方向に対する取付強度が弱く、剥がれやすい。
【０００６】
また特許文献２の面ファスナーは、そもそも片面にしか面ファスナーが無いので、両面に対象物を取り付けることができない。
かといって特許文献２の面ファスナーをあたかも板材の厚み方向に貼り合わせたかのような構造の面ファスナーを一体成形で成型すると、次のような不具合が生じる。
フックが形成された領域の直交する二辺と板材の外周の隅角が一致するので、この面ファスナーを対象物から取り外そうとしても、摘まむところがなく、それゆえ取り外し難い。
また特許文献２の面ファスナーは、射出成形によって一体成形されるので、エジェクタピンで押し出さなければならない。しかしながらフックが形成された領域の直交する二辺と板材の外周の隅角が一致するので、エジェクタピンによる押し出し位置が板材の縁部になく、金型から取り出し難いことになる。
【０００７】
本考案は、上記実情を考慮して創作されたもので、板材の表裏両面からフックを突出させた面ファスナーに関して、対象物への多様な方向に対する取付強度、対象物からの取り外しやすさを少なくとも兼備することを目的とする。
【課題を解決するための手段】
【０００８】
本考案の面ファスナーは、複数のフックを有すると共に固有の縦横方向を有する樹脂製のフック群と、フック群が突出する状態で配置される複数のフック群領域を表裏面にそれぞれ有する板材であってフック群と共に一体成形された樹脂製の板材を備える。フック群は、同じ直線方向を向いた複数のフックを固有の縦横方向のうち一方の直線方向に並べて形成される一列のフック列が基本となる複数列のフック列であって、フック列が固有の縦横方向のうち他方の直線方向に並列されて形成される複数列のフック列を備える。
板材の表裏面にフック群を配置する配置形状は、直線状と矩形状の何れか一方に設定するものである。そして設定された配置形状に隣り合うフック群は、互いのフックの向きが直交するものである。板材は表裏面に、フック群領域の他に、フック群領域の周りに隣接すると共に表裏面に対向する側に空間部が形成される空間部用領域を備える。空間部用領域は、フック群ごとに特定される一対の固有の特定領域であって、フック群の固有の縦横方向における前記他方の直線方向に関して、対応するフック群領域の両側に形成される一対の固有の特定領域を備える。一対の固有の特定領域のうち少なくとも一つは、板材の表裏面の縁部に備える。
【０００９】
またフック群の固有の縦横方向は、他のフック群の固有の縦横方向との関係を問わないが、たとえば外観の統一を図るには次のようにする。
すなわち全ての前記フック群は直交する共通の第１、第２の直線方向を有し、フック群の固有の縦方向は共通の第１、第２の直線方向の一方に、フック群の固有の横方向は共通の第１、第２の直線方向の他方にする。
【００１０】
また板材はその形状を問わないし、板材の形状とフック群（フック群領域、一対の固有の特定領域）の配置との関係も問わないが、面ファスナーを対象物から取り外しやすくするには次のようにすることが望ましい。
すなわち板材は第１、第２の直線方向に延長する４辺を備える正方形であり、その表裏面ごとに第１、第２の直線方向に概念として４分割された分割領域を備えるものとする。そして分割領域にはフック群領域、一対の固有の特定領域を備えることにする。
【００１１】
またフック列はフックを同じ直線方向に向けてあれば、その向きは固有の縦横方向と一致しているか否かは問わないが、例えば次のようにする。
すなわちフック列はフックの向きを前記固有の縦横方向の前記一方の直線方向における二方向の何れかに一致させてある。
【００１２】
また面ファスナーは一体成形され、エジェクタピンで金型から押し出されるが、その押し出し位置は、エジェクタピンの跡となって板材の表面に表れる。エジェクタピンの跡は、板材の縁部にあるか否かは問わない。板材の縁部は、固有の一対の特定領域の一方に相当する。面ファスナーを金型から取り出しやすくするには、次のようにすることが望ましい。
すなわち固有の一対の特定領域は、エジェクタピンによる凹状の跡をそれぞれ備えることである。
【００１３】
フック群に対応するエジェクタピンの跡は、板材に対してどの位置に配置されていても良いが、例えば次のようにする。
すなわちフック群に対応するエジェクタピンの跡は、当該フック群、つまり直前に述べたばかりのフック群、の固有の縦横方向における前記他方の直線方向に関して、板材の中点に対して同じ方向側に偏心させる。
【考案の効果】
【００１４】
本考案の面ファスナーによれば、隣りのフック群に関しては互いのフックの向きが直交するので、フックの向きが同一方向の面ファスナーに比べて、対象物への多様な方向に対する取付強度が向上するし、板材の表裏面の縁部において固有の特定領域を摘まめるので、対象物から取り外しやすくなる。しかもフック群領域の両側には一対の固有の特定領域を備えるので、この一対の固有の特定領域をエジェクタピンで押し込む領域にすれば、フック群を金型から抜き出し易くなり、その結果、面ファスナーを金型から取り出し易くなる。
【００１５】
面ファスナーは、正方形にした板材の表裏面に４分割された分割領域を備え、分割領域にフック群領域、一対の固有の特定領域を備えるものであれば、板材の４つの隅角付近の縁部に固有の特定領域が配置されることになる。そして正方形の隅角は摘まみやすいので、面ファスナーを対象物から取り外しやすくなる。
【００１６】
面ファスナーは一対の固有の特定領域にエジェクタピンの跡をそれぞれ備えるものであれば、フック群に対して両隣りに位置する一対の固有の特定領域をエジェクタピンで押し出したことになり、しかも一対の固有の特定領域のうち一つは板材の縁部に位置することになるので、面ファスナーを金型から取り出しやすくなる。
【図面の簡単な説明】
【００１７】
【図１】本考案の第１実施形態の面ファスナーを示す説明図であり、側面図と、表面図・裏面図を併用したものである。
【図２】本考案の第１実施形態の面ファスナーを簡略化して示す説明図であり、側面図と、表面図・裏面図を併用したものである。
【図３】図１のＣ−Ｃ線断面図で、フック群を示す断面図である。
【図４】面ファスナーを金型から取り外すときの状態を示す断面図である。
【考案を実施するための形態】
【００１８】
本考案の第１実施形態の面ファスナーは射出成形によって一体成形される樹脂製である。樹脂としては例えばポリプロピレンが挙げられる。また第１実施形態の面ファスナー１は図１〜３に示すように、板材２と、板材２の表裏面から突出するフック群３を備える。フック群３は図１では板材２の表裏各面に４つずつ存在する。また本実施形態では板材の表裏両面にフック群を配置する配置形状は、矩形状に設定してある。ちなみに矩形状とは、長方形、正方形を含む形状である。なおViewＡ、viewＢは、板材２を図中でのＡ方向、Ｂ方向から視た図である。また図２はフック群３を構成する主要なフック３１の向きが理解しやすいように、表裏面ごとに２つのフック群を消去してある。
【００１９】
板材２は厚み方向に視て正方形である。この正方形の直交する２辺が延長する方向を、第１、第２の直線方向Ｘ，Ｙとする。図１，２では左右方向が第１の直線方向Ｘであり、上下方向が第２の直線方向Ｙである。
【００２０】
なお正方形とは、狭義には４つの頂点を有するもの、言い換えれば隣り合う２辺が直交するものであるが、本発明では広義に解して、頂点の有無に関わらず外観として正方形に見えるものであれば良く、例えば図１，２に示すように角部を円弧状に丸めた形状であっても良い。なお円弧状に丸めたときの円弧の中心点は、狭義の正方形の頂点が存在するべき地点よりも、正方形として把握した板材２の中心点２ｃの方の位置である。
【００２１】
また板材２は、その表裏面を平面にしてある。そして板材２は平面である表裏面に、フック群３が突出する状態で配置される複数のフック群領域２１と、フックの無い領域２２を備える。フックの無い領域２２とは、フック群領域２１の周りに隣接すると共に表裏面に対向する側に空間部Ｓが形成される空間部用領域２２である。空間部用領域２２において、板材２の表裏面からフック群３は突出しない。なお空間部Ｓはフック群３を取り囲んでいる。
フック群領域２１は長方形で、長手方向と短手方向を有する。図２のViewＡでは右上と左下のフック群領域２１が２点鎖線で示されており、いずれも左右方向の寸法が上下方向の寸法よりも長い長方形である。また図２のViewＡでは左上と右下のフック群領域２１はフック群３の外周を取り囲んだ長方形の領域であり、いずれも上下方向の寸法が左右方向の寸法よりも長い長方形である。図２のViewＢと図２のViewＡを見ると、フック群領域２１が板材２の表裏面に対称的に形成されていることが分かる。
このように空間部用領域２２は正方形の領域から４つのフック群領域２１（４つの長方形の領域）を除いた領域である。
【００２２】
また板材２は、表裏面ごとに第１、第２の直線方向Ｘ，Ｙに均等に４分割された概念上の分割領域２３を備える。図１，２では、２本の直交する一点鎖線Ｌ１，Ｌ２が、正方形である板材２の中心点２ｃから正方形の４辺の中点ｃ１〜ｃ４に達するまで放射状に延長している。板材２の正方形の領域を２本の一点鎖線Ｌ１，Ｌ２で仕切った領域が、分割領域２３である。
分割領域２３は、フック群領域２１と、空間部用領域２２の一部、より詳しく言えば、フック群領域２１の周りの全周に隣接する長方形の枠状領域２４を備える。
【００２３】
枠状領域２４は、図２のViewＡの右上と左下のものであれば、その内側に位置するフック群領域２１に対して図での上下両側の領域２４ａ，２４ａを、図での左右両側の領域２４ｂ，２４ｂに比べて広くしてある。
枠状領域２４は、図２のViewＡの左上と右下のものであれば、その内側に位置するフック群領域２１に対して図での左右両側の領域２４ｃ，２４ｃを、図での上下両側の領域２４ｄ，２４ｄに比べて広くしてある。
そしてViewＡの右上と左下の枠状領域２４に関しては、広い上下両側の領域２４ａ，２４ａをフック群３ごとに特定される一対の固有の特定領域２４ａ，２４ａとし、ViewＡの左上と右下の枠状領域２４に関しては、広い左右両側の領域２４ｃ，２４ｃをフック群３ごとに特定される一対の固有の特定領域２４ｃ，２４ｃとする。
一対の固有の特定領域２４ａ，２４ａ、２４ｃ，２４ｃは、その間に挟むフック群領域２１に対してその短手方向の両側に形成され、そのうちの一つは、板材２の表裏面の縁部に位置している。しかも一対の固有の特定領域２４ａ，２４ａ、２４ｃ，２４ｃは、その間に挟むフック群領域２１に対してその長手方向に間隔をあけてエジェクタピンの跡２６を備えている。
【００２４】
枠状領域２４内においてエジェクタピンの跡２６は、フック群領域２１の長手方向と短手方向にそれぞれ対称的に配置されている。またエジェクタピンの跡２６は、平面に対して凹む凹状の跡であり、図では板材２の厚み方向から視て、円形になっている。
【００２５】
フック群３は図１に示すように複数列のフック列３１Ｌを備える。より具体的にはフック群３は、複数のフック３１と、隣り合うフック３１，３１の間において隣り合うフック３１，３１に挟まれると共にフック３１を支える補強リブ３２とを備え、固有の縦横方向に基づいてフック３１と補強リブ３２を並べたものである。固有の縦横方向とは第１、第２の直線方向Ｘ、Ｙである。
【００２６】
フック３１はＪ字状で、たとえばループと称される繊維に絡み合ったり、外れたりするものである。より詳しく言えば、フック３１は図３に示すように、板材２の厚み方向に向かって突出するフック本体部３１ａと、フック本体部３１ａの先から板材２の表面又は裏面に対し平行な方向に延長しながら板材２に接近する方に向かう引掛け部３１ｂを備える。またフック３１の引掛け部３１ｂの先端と板材２との間には開口部３１ｃが形成される。開口部３１ｃは、フック本体部３１ａに対して離れる方向に開口しており、この開口方向がフック３１の向きである。ちなみに図３は、図１のViewＡの右下のフック群３に対応する部分の断面図であり、右下のフック群３のフック３１に関して、引掛け部３１ｂは、フック本体部３１ａの先から第２の直線方向Ｙの一方に延長しながら板材２に接近する方に向かうものである。
【００２７】
またViewＡによれば図の右下のフック群３と左上のフック群３は、フック３１を図での上下方向（第２の直線方向Ｙ）に間隔をあけて形成される一列のフック列３１Ｌと、補強リブ３２を図での上下方向に間隔をあけて形成される一列の補強リブ列３２Ｌを基本としている。そしてViewＡの右下のフック群３と左上のフック群３は、フック列３１Ｌと補強リブ列３２Ｌを左右方向（第１の直線方向Ｘ）に交互に並列させたものである。
またフック３１の向きはフック列３１Ｌごとに同じ直線方向のうち一方向、つまり同じ方向を向いている。ただし補強リブ列３２Ｌの両隣に位置する一対のフック列３１Ｌは図３に示すように、フック３１の向きが逆である。ちなみに便宜上、固有の縦横方向のうち一方としての縦方向は、フック列３１Ｌを構成するフック３１の離れる方向、つまり第２の直線方向Ｙとし、固有の縦横方向のうち他方としての横方向はフック列３１Ｌを並列する方向、つまり第１の直線方向Ｘとする。従ってフック群３のフック３１の向きは第２の直線方向Ｙの両方向である。
なおViewＡによれば図の右下のフック群３に対応する跡２６は、その跡２６に対応するフック群３が配置された固有の縦横方向における前記他方の直線方向（横方向）に関して、板材２の中点ｃ３に対して同じ方向側（図での右側）に偏心している。
【００２８】
また図１のViewＡによれば図の左下のフック群３と右上のフック群３は、図の右下のフック群３と左上のフック群３とは、上下方向と左右方向を逆にしたものであり、フック３１を図での左右方向（第１の直線方向Ｘ）に間隔をあけて形成される一列のフック列３１Ｌと、補強リブ３２を図での左右方向に間隔をあけて形成される一列の補強リブ列３２Ｌを基本としている。そしてViewＡの左下のフック群３と右上のフック群３は、フック列３１Ｌと補強リブ列３２Ｌを上下方向（第２の直線方向Ｙ）に交互に並列させたものである。固有の縦横方向のうち一方としての縦方向は、フック列３１Ｌを構成するフック３１の離れる方向なので、第１の直線方向Ｘであり、固有の縦横方向のうち他方としての横方向はフック列３１Ｌを並列する方向なので、第２の直線方向Ｙである。
なおViewＡによれば図の左下のフック群３に対応する跡２６は、その跡２６に対応するフック群３が配置された固有の縦横方向における前記他方の直線方向（第２の直線方向Ｙ）に関して、板材２の中点ｃ４に対して同じ方向側（図での下側）に偏心している。
【００２９】
したがって全てのフック群３は第１、第２の直線方向Ｘ，Ｙに基づいてフック３１を配置しており、全てのフック群３の固有の縦横方向は、共通の第１、第２の直線方向Ｘ，Ｙである。また前述したように本実施形態では板材２の表裏両面にフック群３を配置する配置形状は、矩形状（矩形状の周方向）に設定してあり、設定された配置形状である矩形状に隣り合うフック群３は、互いのフック３１の向きが直交するものである。しかもフック群３に対応する跡２６は、当該フック群３の固有の縦横方向における他方の直線方向に関して、板材２の中点ｃ１〜ｃ４に対して同じ方向側に偏心している。
【００３０】
なお補強リブ３２は、フック３１（フック本体部３１ａ）よりも板材２からの厚み方向への突出長さが短く、両隣りのフック本体部３１ａ，３１ａに挟まれる。
【００３１】
上記した第１実施形態の面ファスナー１を射出成形で製造する金型５が図４に示されている。金型５は固定型６と可動型７を備える。そして固定型６と可動型７の間に形成されるキャビティ８は、面ファスナー１に対応した形状をしている。したがってキャビティ８のうちフック群３に対応する部分は、アンダーカットになる。そこで溶融樹脂を射出した後に型開きするときには、固定型６に対して摺動可能なエジェクタピン６ａを動作させ、エジェクタピン６ａで板材２を押し出し、可動型７に面ファスナー１を残す。その後に可動型７に対して摺動可能なエジェクタピン７ａを動作させ、可動型７から面ファスナー１を離型させる。このようにエジェクタピン６ａ，７ａで押し出した部分が、板材２の表裏面に跡２６になって残る。
【００３２】
上記した第１実施形態の面ファスナー１は以下の効果を有する。
第１実施形態の面ファスナー１は、各フック群３のフック３１の向きを第１か第２の直線方向Ｘ，Ｙの両方向にした上で、隣りのフック群３に関しては互いのフック３１の向きが直交するので、フック３１の向きが同一方向の面ファスナー１に比べて、対象物に対する取付強度が向上するし、板材２の表裏面の縁部において固有の特定領域２４ａ，２４ｃを摘まめるので、対象物から取り外しやすくなる。しかもフック群領域２１に対して縦方向の両側には一対の固有の特定領域２４ａ，２４ａ，２４ｃ，２４ｃを備え、この一対の固有の特定領域２４ａ，２４ａ，２４ｃ，２４ｃにエジェクタピンの跡２６をそれぞれ備えるので、フック群３に対して両隣りに位置する一対の固有の特定領域２４ａ，２４ａ，２４ｃ，２４ｃをエジェクタピンで押し出したことになり、全てのフック３１を均一な力で金型５から抜き出すことができるため、フック群３を金型５から抜き出し易くなり、しかも一対の固有の特定領域２４ａ，２４ａ，２４ｃ，２４ｃのうち一つは板材２の縁部に位置することになるので、面ファスナー１を金型５から取り出し易くなる。なお第１実施形態の面ファスナー１は、板材２の両面にフック３１を備えるので、両面を対象物に取りつけることができる。
【００３３】
また第１実施形態の面ファスナー１は、正方形にした板材２の表裏面に４分割された分割領域２３を備え、分割領域２３にフック群領域２１、一対の固有の特定領域２４ａ，２４ａ，２４ｃ，２４ｃを備えるので、板材２の４つの隅角付近の縁部に固有の特定領域２４ａ，２４ｃが配置されることになる。そして正方形の隅角は摘まみやすいので、面ファスナー１を対象物から取り外し易くなる。
【００３４】
本考案は上記実施形態に限定されるものではなく、その趣旨を逸脱しない範囲において適宜変更可能である。
【００３５】
例えば板材２の表裏両面にフック群３を配置する配置形状は、本実施形態では矩形状であったが、本発明ではこれに限らず直線状であっても良い。より具体的に言えば、板材２の表裏両面に２つのフック群３，３を直線状に配置するものであっても良い。この場合も、配置形状に隣り合うフック群３，３は、互いのフック３１の向きが直交する。
【００３６】
また板材２は、本実施形態では正方形であったが、本発明ではこれに限らず円形や長方形等のその他の形状であってもよい。
【００３７】
また全てのフック群３の固有の縦横方向は、本実施形態では共通の第１、第２の直線方向Ｘ、Ｙであったが、本発明ではこれに限らず、例えば１つのフック群３の固有の縦横方向が第１、第２の直線方向Ｘ、Ｙであり、別のフック群３の固有の縦横方向が第１、第２の直線方向とは異なる縦横方向（一例としては第１、第２の直線方向に対し４５度傾いた角度の縦横方向）であっても良い。
【００３８】
またフック群３の一列のフック列３Ｌは、本実施形態では同じ直線方向のうち一方向を向いた複数のフック３１によって形成されていたが、本発明ではこれに限らず同じ直線方向のうち両方向を向いたフックによって形成されていても良い。この場合、より具体的な一例を挙げれば、フックは、図３に示すフックと同形状のもの（以下、「フック部」と言う。）が対称的に一体化したものであり、一対のフック部における互いの開口方向が正反対の方向で且つ遠ざかる方向を向いたもの、つまり同じ直線方向の両方向を向いたものであっても良い。
【符号の説明】
【００３９】
１  面ファスナー
２  板材
２ｃ  中心点
２１  フック群領域（フックの無い領域）
２２  空間部用領域
２３  分割領域
２４  枠状領域
２４ａ〜２４ｄ  領域
２４ａ，２４ｃ  固有の特定領域
２６  跡
３  フック群
３１  フック
３１ａ  フック本体部
３１ｂ  引掛け部
３１ｃ  開口部
３１Ｌ  フック列
３２  補強リブ
３２Ｌ  補強リブ列
５  金型
６  固定型
６ａ  エジェクタピン
７  可動型
７ａ  エジェクタピン
８  キャビティ
ｃ  中心点
ｃ１〜ｃ４  中点
Ｌ１，Ｌ２  一点鎖線
Ｓ  空間部
Ｘ  第１の直線方向
Ｙ  第２の直線方向
【図１】
0003212754.tif 000003
【図２】
0003212754.tif 000004
【図３】
0003212754.tif 000005
【図４】
0003212754.tif 000006